(57)【特許請求の範囲】
【請求項１】
３Ｄディスプレイ装置を駆動するためのディスプレイ装置の駆動方法であって、前記３Ｄディスプレイ装置は、第一のビューピクセルと第二のビューピクセルを有するピクセルアレイを含み、前記第一のビューピクセルと前記第二のビューピクセルとは、それぞれ異なる色のＮ個のサブピクセルが順次に繰り返して一列に並べることによって形成され、Ｎは３以上の整数であり、前記第一のビューピクセルと前記第二のビューピクセルは、列方向に交互に配置され、前記ピクセルアレイの各行は、同じ色のサブピクセルを含み、前記方法は、
画像信号を受信し、前記画像信号における第一のビューと第二のビューを抽出するステップと、
前記第一のビューと前記第二のビューとをそれぞれ複数の仮想ピクセルに分割し、前記複数の仮想ピクセルのうち各サブピクセルの色に対応する色成分を取得するステップと、
各ビューの各サブピクセルに対し、前記ディスプレイ装置のピクセルアレイにサンプリング領域を設置するステップであって、ここで、各サブピクセルの中心と、同じ色のそれぞれの隣接するサブピクセルの中心との接続線の中間点は、前記サンプリング領域の境界に位置し、前記サンプリング領域は、そのサブピクセルの中心と、同じ色であり、前記各サブピクセルと同じ列または同じ行にない４つの隣接するサブピクセルの各中心との接続線の中間点を頂点とする矩形である、ステップと、
前記サンプリング領域によってカバーされる各仮想ピクセルのうち各サブピクセルの色に対応する色成分に基づき、前記サンプリング領域に対応するサブピクセルの階調信号を決定する（ここで、前記サンプリング領域によってカバーされる仮想ピクセルと前記サンプリング領域に対応するサブピクセルとは、同じビューに属する）ステップと、
サブピクセルの階調信号に基づき、前記画像信号を表示するステップを含むことを特徴とする駆動方法。
【請求項２】
請求項１に記載の駆動方法において、
前記サンプリング領域によってカバーされる各仮想ピクセルのうち各サブピクセルの色に対応する色成分に基づき、サンプリング領域に対応するサブピクセルの階調信号を決定することは、
前記サンプリング領域の面積を取得するステップと、
前記サンプリング領域と前記サンプリング領域によってカバーされる前記各仮想ピクセルとの重なる面積を取得するステップと、
前記サンプリング領域の面積、前記重なる面積及び前記サンプリング領域によってカバーされる各仮想ピクセルのうち各サブピクセルの色に対応する色成分に基づき、前記サンプリング領域に対応するサブピクセルの階調信号を決定するステップを含むことを特徴とする駆動方法。
【請求項３】
請求項１または請求項２のいずれか一項に記載の駆動方法において、
前記Ｎ値は３であり、前記サブピクセルの色は順次に青、緑、赤であることを特徴とする駆動方法。
【請求項４】
３Ｄディスプレイ装置を駆動するためのディスプレイ装置の駆動装置であって、前記３Ｄディスプレイ装置は、第一のビューピクセルと第二のビューピクセルを有するピクセルアレイを含み、前記第一のビューピクセルと前記第二のビューピクセルとは、それぞれ異なる色のＮ個のサブピクセルが順次に繰り返して一列に並べることによって形成され、Ｎは３以上の整数であり、前記第一のビューピクセルと前記第二のビューピクセルは、列方向に交互に配置され、前記ピクセルアレイの各行は、同じ色のサブピクセルを含み、前記駆動装置は、
画像信号を受信し、前記画像信号における第一のビューと第二のビューを抽出する受信ユニットと、
前記第一のビューと前記第二のビューとをそれぞれ複数の仮想ピクセルに分割し、前記複数の仮想ピクセルのうち各サブピクセルの色に対応する色成分を取得する分割ユニットと、
各ビューの各サブピクセルに対し、前記ディスプレイ装置のピクセルアレイにサンプリング領域を設置する設置ユニットであって、ここで、各サブピクセルの中心と、同じ色のそれぞれの隣接するサブピクセルの中心との接続線の中間点は、前記サンプリング領域の境界に位置し、前記サンプリング領域は、そのサブピクセルの中心と、同じ色であり、前記各サブピクセルと同じ列または同じ行にない４つの隣接するサブピクセルの各中心との接続線の中間点を頂点とする矩形である、設置ユニットと、
前記サンプリング領域によってカバーされる各仮想ピクセルのうち各サブピクセルの色に対応する色成分に基づき、前記サンプリング領域に対応するサブピクセルの階調信号を決定する（ここで、前記サンプリング領域によってカバーされる仮想ピクセルと前記サンプリング領域に対応するサブピクセルとは、同じビューに属する）処理ユニットと、
サブピクセルの階調信号に基づき、前記画像信号を表示する表示ユニットを含むことを特徴とする駆動装置。
【請求項５】
請求項４に記載の駆動装置において、
前記処理ユニットは、
前記サンプリング領域の面積を取得するとともに、前記サンプリング領域と前記各仮想ピクセルとの重なる面積を取得する取得サブユニットと、
前記サンプリング領域の面積、前記重なる面積及び前記サンプリング領域によってカバーされる各仮想ピクセルのうち各サブピクセルの色に対応する色成分に基づき、前記サンプリング領域に対応するサブピクセルの階調信号を決定する決定サブユニットとを含むことを特徴とする駆動装置。
【請求項６】
請求項４または請求項５のいずれか一項に記載の駆動装置において、
前記Ｎ値は３であり、前記サブピクセルの色は順次に青、緑、赤であることを特徴とする駆動装置。
【発明の詳細な説明】
【技術分野】
【０００１】
本発明は、ディスプレイ技術分野に関し、特に、ディスプレイ装置の駆動方法及びその駆動装置に関する。
【背景技術】
【０００２】
人類は左目と右目で見た物体の微小な差異によって物体の奥行きを知覚し、立体画像を認識する。左目と右目が異なる画像が見えるような現象は視差と呼ばれる。三次元（英語：three dimensional、略称：３Ｄ）画像ディスプレイ技術は人工的な手段で左目と右目の視差を作り、左目と右目がそれぞれ異なる二枚の画像を受け取り、最終的に、脳は、左目と右目によって得られた二枚の画像に対し処理を行い、実際に三次元物体を観察している感覚を生成する。
【０００３】
従来のディスプレイ装置と同じように、３Ｄディスプレイ装置における各ピクセルも複数のサブピクセルによって光の混合を行い、色を表現する。例えば、各ピクセルはそれぞれ一つの赤サブピクセル、緑サブピクセル、青サブピクセルによって構成される。視覚效果を向上させるために、ディスプレイ装置の解析度に対する要求が益々高くなる。したがって、サブピクセルのサイズは、より小さくなるように要求される。しかし、加工技術の限制により、サブピクセルのサイズを无限に縮小することが不可能である。そのため、サブピクセルのサイズが一定の場合に、３Ｄディスプレイ装置の表示効果を如何に向上させるかは、当業者に迫る課題である。
【発明の開示】
【０００４】
本発明は、サブピクセルのサイズが一定の場合に３Ｄディスプレイ装置の表示効果を向上させるディスプレイ装置の駆動方法及びその駆動装置を提供する。
それに応じて、本発明の実施例は以下の実施態様を採用する。
【０００５】
第一方面では、３Ｄディスプレイ装置を駆動するためのディスプレイ装置の駆動方法を提供する。前記３Ｄディスプレイ装置は、第一のビューピクセルと第二のビューピクセルを有するピクセルアレイを含む。前記第一のビューピクセルと前記第二のビューピクセルとは、それぞれ異なる色のＮ個のサブピクセルが順次に繰り返して一列に並べることによって形成され、Ｎは３以上の整数である。前記第一のビューピクセルと前記第二のビューピクセルは、列方向に交互に配置され、前記ピクセルアレイの各行は、同じ色のサブピクセルを含む。前記方法は、
画像信号を受信し、前記画像信号における第一のビューと第二のビューを抽出するステップと、
前記第一のビューと前記第二のビューとをそれぞれ複数の仮想ピクセルに分割し、前記複数の仮想ピクセルのうち各サブピクセルの色に対応する色成分を取得するステップと、
各ビューの各サブピクセルに対し、前記ディスプレイ装置のピクセルアレイにサンプリング領域を設置するステップと、
前記サンプリング領域によってカバーされる各仮想ピクセルのうち各サブピクセルの色に対応する色成分に基づき、前記サンプリング領域に対応するサブピクセルの階調信号を決定するステップと、
サブピクセルの階調信号に基づき、前記画像信号を表示するステップを含む。
ただし、前記サンプリング領域によってカバーされる仮想ピクセルと前記サンプリング領域に対応するサブピクセルとは、同じビューに属する。
【０００６】
また、前記サンプリング領域によってカバーされる各仮想ピクセルのうち各サブピクセルの色に対応する色成分に基づき、サンプリング領域に対応するサブピクセルの階調信号を決定することは、
前記サンプリング領域の面積を取得するステップと、
前記サンプリング領域と前記サンプリング領域によってカバーされる前記各仮想ピクセルとの重なる面積を取得するステップと、
前記サンプリング領域の面積、前記重なる面積及び前記サンプリング領域によってカバーされる各仮想ピクセルのうち各サブピクセルの色に対応する色成分に基づき、前記サンプリング領域に対応するサブピクセルの階調信号を決定するステップを含むことが好ましい。
また、前記サンプリング領域は矩形であることが好ましい。
また、前記サンプリング領域の境界は、各サブピクセルの中心と各隣接する同じタイプのサブピクセルの中心との接続線の中間点に位置することが好ましい。サブピクセルの同じタイプのサブピクセルとは、当該サブピクセルと同じビュー、同じ色に属するサブピクセルのことである。
また、前記Ｎ値は３であり、前記サブピクセルの色は順次に青、緑、赤であることが好ましい。
【０００７】
第二の方面では、３Ｄディスプレイ装置を駆動するためのディスプレイ装置の駆動装置を提供する。前記３Ｄディスプレイ装置は、第一のビューピクセルと第二のビューピクセルを有するピクセルアレイを含む。前記第一のビューピクセルと前記第二のビューピクセルは、それぞれ異なる色のＮ個のサブピクセルが順次に繰り返して一列に並べることによって形成され、Ｎは３以上の整数である。前記第一のビューピクセルと前記第二のビューピクセルは、列方向に交互に配置され、前記ピクセルアレイの同じ行は、同じ色のサブピクセルを含む。前記駆動装置は、
画像信号を受信し、前記画像信号における第一のビューと第二のビューを抽出する受信ユニットと、
前記第一のビューと前記第二のビューとをそれぞれ複数の仮想ピクセルに分割し、前記複数の仮想ピクセルのうち各サブピクセルの色に対応する色成分を取得する分割ユニットと、
各ビューの各サブピクセルに対し、前記ディスプレイ装置のピクセルアレイにサンプリング領域を設置する設置ユニットと、
前記サンプリング領域によってカバーされる各仮想ピクセルのうち各サブピクセルの色に対応する色成分に基づき、前記サンプリング領域に対応するサブピクセルの階調信号を決定する処理ユニットと、
サブピクセルの階調信号に基づき、前記画像信号を表示する表示ユニットを含む。
ただし、前記サンプリング領域によってカバーされる仮想ピクセルと前記サンプリング領域に対応するサブピクセルとは、同じビューに属する。
【０００８】
前記処理ユニットは、
前記サンプリング領域の面積を取得するとともに、前記サンプリング領域と前記各仮想ピクセルとの重なる面積を取得する取得サブユニットと、
前記サンプリング領域の面積、前記重なる面積及び前記サンプリング領域によってカバーされる各仮想ピクセルのうち各サブピクセルの色に対応する色成分に基づき、前記サンプリング領域に対応するサブピクセルの階調信号を決定する決定サブユニットとを含むことが好ましい。
【０００９】
前記サンプリング領域は矩形であることが好ましい。
前記サンプリング領域の境界は、各サブピクセルの中心と各隣接する同じタイプのサブピクセルの中心との接続線の中間点に位置することが好ましい。サブピクセルの同じタイプのサブピクセルとは、当該サブピクセルと同じビュー、同じ色に属するサブピクセルのことである。
前記Ｎ値は３であり、前記サブピクセルの色は順次に青、緑、赤であることが好ましい。
【００１０】
本発明における実施例によって提供されるディスプレイ装置の駆動方法及びその駆動装置では、まず、表示予定の信号が受信され、表示予定の信号における第一のビューと第二のビューが抽出される。次に、前記第一のビューと前記第二のビューとは、複数の仮想ピクセルに分割され、前記複数の仮想ピクセルのうち各サブピクセルの色に対応する色成分が取得される。次に、各ビューの各サブピクセルに対し、ディスプレイ装置のピクセルアレイにサンプリング領域が設置され、サンプリング領域によってカバーされる各仮想ピクセルのうち各サブピクセルの色に対応する色成分に基づき、前記サンプリング領域に対応するサブピクセルの階調信号が決定される。最后に、各サブピクセルの階調信号に基づき、画像信号が表示される。各サブピクセルの階調信号は、サンプリング領域によってカバーされる各仮想ピクセルのうち各サブピクセルの色に対応する色成分によって決定されるため、本発明における実施例では、ピクセルアレイのうち一つのサブピクセルを利用し、複数のサブピクセルの分量階調信号を表示することができる。すなわち、ピクセルアレイにおけるサブピクセルは、共通に利用することができる。従って、視覚上に実際の解析度より高い解析度を実現することができる。これによって、本発明における実施例は、サブピクセルサイズが一定の場合に、３Ｄディスプレイ装置の表示効果を向上させることができる。
【図面の簡単な説明】
【００１１】
本発明の実施例または従来の技術における実施態様をより詳しく説明するために、以下、実施例または従来の技術に対する説明に用いられる図面を簡単に説明する。もちろん、以下に載せられる図面は本発明の実施例の一部だけであり、当業者に対し、進歩性のある労働を必要としなく、これらの図面に基づき、他の図面も取得することができる。
【図１】本発明にかかるディスプレイ装置の駆動方法に用いられる３Ｄディスプレイ装置のピクセルアレイの構造を示す模式図である。
【図２】本発明にかかる図１に示されるピクセルアレイに用いられるラスタアレイの分布を示す模式図である。
【図３】本発明にかかる一つのディスプレイ装置の駆動方法の流れを示すフローチャートである。
【図４】本発明にかかる第一のビューピクセルにおけるＲ９行目Ｓ５列目の赤サブピクセルのサンプリング領域の分布を示す模式図である。
【図５】本発明にかかる第二のビューピクセルにおけるＲ９行目Ｓ４列目の赤サブピクセルのサンプリング領域の分布を示す模式図である。
【図６】本発明にかかる第一のビューピクセルにおけるＲ８行目Ｓ５列目の緑サブピクセルのサンプリング領域の分布を示す模式図である。
【図７】本発明にかかる第二のビューピクセルにおけるＲ８行目Ｓ４列目の緑サブピクセルのサンプリング領域の分布を示す模式図である。
【図８】本発明にかかる第一のビューピクセルにおけるＲ７行目Ｓ５列目の青サブピクセルのサンプリング領域の分布を示す模式図である。
【図９】本発明にかかる第二のビューピクセルにおけるＲ７行目Ｓ４列目の青サブピクセルのサンプリング領域の分布を示す模式図である。
【図１０】本発明にかかる一つのディスプレイ装置の駆動装置の模式的な構造図である。
【図１１】本発明にかかる別のディスプレイ装置の駆動装置の模式的な構造図である。
【発明を実施するための形態】
【００１２】
以下では、図面に基づき、本発明の実施例によって提供されるディスプレイ装置の駆動方法及びその駆動装置について詳しく説明する。ここで、同じ符号は本明細書中の同じ素子を指す。以下の説明では、説明上の便利のため、一つまたは複数の実施例を完全に理解できるために、多くの細部が提供される。しかしながら、これらの実施例は、これらの細部なしでも実現され得ることは明らかである。他の例では、一つまたは複数の実施例の説明を容易にするために、周知の構造および装置がブロック図で示されている。
【００１３】
なお、本発明の実施例では、「行」と「列」という用語は相対的な概念である。本発明の実施例の説明では、一例として、「行」は水平方向、即ち本願の横方向であり、「列」は鉛直方向、即ち本願の縦方向である。しかしながら、ピクセルはアレイ状に配置されるため、観測方向が異なる場合には、行と列とを入れ替え、横方向と縦方向とを入れ替えることもできる。
【００１４】
本発明の実施例は、３Ｄディスプレイ装置を駆動するためのディスプレイ装置の駆動方法を提供する。３Ｄディスプレイ装置は、ピクセルアレイとラスタアレイとを含む。以下では、一つのピクセルが三色のサブピクセルを含み、三色のサブピクセルがそれぞれ青サブピクセル、緑サブピクセル、赤サブピクセルである場合を例にとって説明する。
【００１５】
具体的には、図１に示すように、前記ピクセルアレイ１０は、第一のビューピクセル１１と第二のビューピクセル１２とを備え、前記第一のビューピクセル１１および前記第二のビューピクセル１２は、それぞれ異なる色のＮ個のサブピクセルが順次に繰り返して一列に並べることによって形成され、Ｎは３以上の整数である。前記第一のビューピクセル１１と前記第二のビューピクセル１２とが列方向に交互に配置され、前記ピクセルアレイの一行は、同じ色のサブピクセルを含む。図２に示すように、前記ラスタアレイ２０は、列方向に沿って、第一のビューピクセル１１の第一の側と前記第二のビューピクセル１２の第二の側とを遮る。前記第一の側と第二の側とは、対向してビューピクセルに位置する。
【００１６】
例えば、前記第一の側と前記第二の側とが対向してビューピクセルに位置することとは、前記第一のビューピクセル１１の第一の側が第一のビューピクセルの右側である場合は、前記第二のビューピクセル１２の第二の側が第二のビューピクセルの左側となり、前記第一のビューピクセル１１の第一の側が第一のビューピクセルの左側である場合は、前記第二のビューピクセル１２の第二の側が第二のビューピクセルの右側となる。
【００１７】
具体的には、この方法は、図３に示すように、以下のステップを含む。
Ｓ３１では、画像信号を受信し、前記画像信号における第一のビューと第二のビューを抽出する。
具体的には、ステップＳ３１において、前記方法を実行する駆動装置は、画像信号を受信した後、画像信号における第一のビューピクセルで表示される画像信号と第二のビューピクセルで表示される画像信号を区別し、これらの画像信号を抽出し、それぞれ第一のビューと第二のビューとする。
Ｓ３２では、前記第一のビューと前記第二のビューとは、複数の仮想ピクセルに分割され、前記複数の仮想ピクセルのうち各サブピクセルの色に対応する色成分が取得される。
例えば、ディスプレイ装置における一つのピクセルは（例えば、図１または図２のいずれかにおけるピクセルでは、一つのピクセルは、列方向に連続する青、緑、赤サブピクセルによって構成される）、一つの仮想ピクセルに分割される。具体的には、ステップＳ３２において、第一のビューは、ディスプレイ装置のピクセルアレイにおける第一のビューピクセルによって形成されるピクセルアレイの実現できる物理ピクセルの数に応じて、複数の仮想ピクセルに分割される。そして、各仮想ピクセルのうち各サブピクセルの色に対応する色成分、即ち、青、緑、赤が占める色成分は、決定される。同様に、第二のビューは、以上のように複数の仮想ピクセルに分割され、第二のビューで青、緑、赤が占める色成分は、決定される。以上のような前記第一のビューと第二のビューとが複数の仮想ピクセルに分割される方法とは、第一のビューと第二のビューとがディスプレイ装置の物理解析度に応じてそれぞれ仮想ピクセルに分割されることである。
【００１８】
Ｓ３３では、各ビューの各サブピクセルに対し、サンプリング領域は、前記ディスプレイ装置のピクセルアレイに設置される。
Ｓ３４では、前記サンプリング領域によってカバーされる各仮想ピクセルのうち各サブピクセルの色に対応する色成分に基づき、前記サンプリング領域に対応するサブピクセルの階調信号が決定される。ここで、前記サンプリング領域によってカバーされる仮想ピクセルと前記サンプリング領域に対応するサブピクセルとは、同じビューに属する。
Ｓ３５、前記画像信号は、サブピクセルの階調信号に基づき、表示される。
【００１９】
本発明における実施例によって提供されるディスプレイ装置の駆動方法では、まず、表示予定の信号が受信され、表示予定の信号における第一のビューと第二のビューが抽出される。次に、前記第一のビューと前記第二のビューとは、複数の仮想ピクセルに分割され、前記複数の仮想ピクセルのうち各サブピクセルの色に対応する色成分が取得される。次に、各ビューの各サブピクセルに対し、ディスプレイ装置のピクセルアレイにサンプリング領域が設置され、サンプリング領域によってカバーされる各仮想ピクセルのうち各サブピクセルの色に対応する色成分に基づき、前記サンプリング領域に対応するサブピクセルの階調信号が決定される。最後に、各サブピクセルの階調信号に基づき、画像信号が表示される。各サブピクセルの階調信号は、サンプリング領域によってカバーされる各仮想ピクセルのうち各サブピクセルの色に対応する色成分によって決定されるため、本発明における実施例では、ピクセルアレイのうち一つのサブピクセルを利用し、複数のサブピクセルの分量階調信号を表示することができる。すなわち、ピクセルアレイにおけるサブピクセルは、共通に利用することができる。従って、視覚上に実際の解析度より高い解析度を実現することができる。これによって、本発明における実施例は、サブピクセルサイズが一定の場合に、３Ｄディスプレイ装置の表示効果を向上させることができる。
【００２０】
さらに、ステップＳ３４において、前記サンプリング領域によってカバーされる各仮想ピクセルのうち各サブピクセルの色に対応する色成分に基づき、前記サンプリング領域に対応するサブピクセルの階調信号が決定されることは、以下のステップを含む。
Ｓ３４１、前記サンプリング領域の面積を取得するステップと、
Ｓ３４２、前記サンプリング領域と前記サンプリング領域によってカバーされる各仮想ピクセルとの重なる面積を取得するステップと、
Ｓ３４３、前記サンプリング領域の面積、前記重なる面積及び前記サンプリング領域によってカバーされる各仮想ピクセルのうち各サブピクセルの色に対応する色成分に基づき、前記サンプリング領域に対応するサブピクセルの階調信号を決定するステップ。
【００２１】
具体的には、ステップＳ３４３において、前記サンプリング領域の面積、前記重なる面積及び前記サンプリング領域によってカバーされる各仮想ピクセルのうち各サブピクセルの色に対応する色成分に基づき、前記サンプリング領域に対応するサブピクセルの階調信号が決定されることは、各サブピクセルに対し、それに対応するサンプリング領域と各仮想ピクセルとの重なる面積及び当該仮想ピクセルにおける当該サブピクセルの色に対応する色成分が決定されることと、各仮想ピクセルに対応する重なる面積と色成分との積が決定されることと、各積の和とサンプリング領域の面積に応じて当該サブピクセルの階調信号が決定されることを含む。例えば、前記の手順は次の算式によって表される。
【００２２】
【数１】
0006636466.tif 000002
【００２３】
上記の算式では、Ｐはサブピクセルの階調信号値であり、Ｎはサンプリング領域によってカバーされる仮想ピクセルの数であり、Aはサンプリング領域の面積であり、aiは対応する仮想ピクセルとサンプリング領域との重なる面積であり、Ｐiは当該仮想ピクセルのうち当該サブピクセルの色に対応する色成分値である。つまり、当該サブピクセルが赤サブピクセルである場合は、当該仮想ピクセルにおける赤色成分値となり、当該サブピクセルが青サブピクセルである場合は、当該仮想ピクセルにおける青色成分値となり、当該サブピクセルが緑サブピクセルである場合は、当該仮想ピクセルにおける緑色成分値となる。
【００２４】
例えば、前記サンプリング領域は矩形である。
さらに、前記サンプリング領域の境界は、各サブピクセルの中心と各隣接する同じタイプのサブピクセルの中心との接続線の中間点に位置する。サブピクセルの同じタイプのサブピクセルとは、当該サブピクセルと同じビュー、同一色に属するサブピクセルのことである。サンプリング領域が矩形であり、且つ前記サンプリング領域の境界が各サブピクセルの中心と各隣接する同じタイプのサブピクセルの中心との接続線の中間点に位置することによって、重複サンプリングは、全表示区域に対し完全にサンプリングする時に発生しないため、不完全なサンプリング或は重複サンプリングによる画面の歪みという問題を避けることができる。
【００２５】
具体的には、図４に示すように、図４において、ピクセルアレイのうち第一のビューピクセルにおけるＲ９行目Ｓ５列目の赤サブピクセルＲ１を例にとって説明する。Ｒ９行目Ｓ５列目の赤サブピクセルに対応するサンプリング領域４０は矩形であり、Ｒ９行目Ｓ５列目のサブピクセルの中心と隣接する同じタイプのサブピクセルにおけるＲ６行目Ｓ３列目、Ｒ６行目Ｓ５列目、Ｒ６行目Ｓ７列目、Ｒ９行目Ｓ７列目、Ｒ１２行目Ｓ７列目、Ｒ１２行目Ｓ５列目、Ｒ１２行目Ｓ３列目及びＲ９行目Ｓ３列目の赤サブピクセルの中心との接続線の中間点は、それぞれa、b、c、d、e、Ｆ、g、hであり、且つ、Ｒ９行目Ｓ５列目のサブピクセルの中心と隣接する同じタイプのサブピクセルの中心との接続線の中間点であるa、b、c、d、e、Ｆ、g、hは、すべて矩形サンプリング領域４０の境界に位置する。ここで、一つのサブピクセルの面積を単位面積とすると、当該サンプリング領域４０の面積は６倍の単位面積に相当する。Ｒ９行目Ｓ５列目のサブピクセルと同一ビューに属し、サンプリング領域４０と重なる仮想ピクセルは、Ｐ１とＰ２であり、その内、サンプリング領域４０と仮想ピクセルＰ２との重なる面積は、二つのサブピクセルの面積、即ち２倍の単位面積に相当し、サンプリング領域４０と仮想ピクセルＰ１との重なる面積は、１倍のサブピクセルの面積、即ち１倍の単位面積に相当する。前記ステップＳ３４１において、取得された前記サンプリング領域の面積は、６倍の単位面積となる。ステップＳ３４２において、取得された前記サンプリング領域と前記各仮想ピクセルとの重なる面積、サンプリング領域とＰ２との重なる面積は、２倍の単位面積となり、サンプリング領域とＰ１との重なる面積は、１倍の単位ピクセル面積となる。同様に、図５に示すように、図５において、ピクセルアレイのうち第二のビューピクセルにおけるＲ９行目Ｓ４列目の赤サブピクセルＲ２が決定されることを例にとって説明する。Ｒ９行目Ｓ４列目の赤サブピクセルに対応するサンプリング領域５０も矩形である。それを決定する流れは、図４におけるＲ９行目Ｓ５列目の赤サブピクセルに対応するサンプリング領域の決定する流れに参照すればよいため、ここで贅言しない。図５において、サンプリング領域５０の面積は、６倍の単位面積となり、サンプリング領域とＦ１との重なる面積は、１倍の単位面積となり、サンプリング領域とＦ２との重なる面積は、２倍の単位ピクセル面積となる。
【００２６】
図６に示すように、図６において、ピクセルアレイのうち第一のビューピクセルにおけるＲ８行目Ｓ５列目の緑サブピクセルG１を例にとって説明する。ここで、Ｒ８行目Ｓ５列目の緑サブピクセルG１のサンプリング領域６０は矩形である。Ｒ８行目Ｓ５列目の緑サブピクセルと隣接する同じタイプのサブピクセルは、それぞれＲ５行目Ｓ３列目、Ｒ５行目Ｓ５列目、Ｒ５行目Ｓ７列目、Ｒ８行目Ｓ７列目、Ｒ１１行目Ｓ７列目、Ｒ１１行目Ｓ５列目、Ｒ１１行目Ｓ３列目、Ｒ８行目Ｓ３列目の緑サブピクセルであり、当該サンプリング領域６０の境界は、Ｒ８行目Ｓ５列目の緑サブピクセルの中心と各隣接する同じタイプのサブピクセルの中心との接続線の中間点に位置する。同様に、一つのサブピクセルの面積を単位面積とすると、当該サンプリング領域６０の面積は、６倍の単位面積となる。Ｒ８行目Ｓ５列目のサブピクセルと同じビューに属し、サンプリング領域６０と重なる仮想ピクセルは、Ｐ２であり、サンプリング領域６０と仮想ピクセルＰ２との重なる面積は、３倍のサブピクセルの面積となり、即ち３倍の単位面積となる。同様に、図７に示すように、図７において、ピクセルアレイのうち第二のビューピクセルにおけるＲ８行目Ｓ４列目の緑サブピクセルG２が決定されることを例にとって説明する。Ｒ８行目Ｓ４列目の緑サブピクセルに対応するサンプリング領域７０も矩形である。それを決定する流れは、図６におけるＲ８行目Ｓ５列目の緑サブピクセルに対応するサンプリング領域の決定する流れに参照すればよいため、ここで贅言しない。図７において、サンプリング領域７０の面積は、６倍の単位面積となり、サンプリング領域とＦ２との重なる面積は、３倍の単位面積となる。
【００２７】
図８に示すように、図８において、ピクセルアレイのうち第一のビューピクセルにおけるＲ７行目Ｓ５列目の青サブピクセルのサンプリング領域８０は矩形である。Ｒ７行目Ｓ５列目の青サブピクセルと隣接する同じタイプのサブピクセルは、それぞれＲ４行目Ｓ３列目、Ｒ４行目Ｓ５列目、Ｒ４行目Ｓ７列目、Ｒ７行目Ｓ７列目、Ｒ１０行目Ｓ７列目、Ｒ１０行目Ｓ５、Ｒ１０行目Ｓ３列目、Ｒ７行目Ｓ３列目の青サブピクセルであり、当該サンプリング領域８０の境界は、Ｒ７行目Ｓ５列目の青サブピクセルの中心と各隣接する同じタイプのサブピクセルの中心との接続線の中間点に位置する。同様に、一つのサブピクセルの面積を単位面積とすると、当該サンプリング領域８０の面積は、６倍の単位面積となる。Ｒ７行目Ｓ５列目のサブピクセルと同じビューに属し、サンプリング領域８０と重なる仮想ピクセルは、Ｐ２とＰ３であり、サンプリング領域８０と仮想ピクセルＰ２との重なる面積は、２倍のサブピクセルの面積となり、即ち、２倍の単位面積となる。サンプリング領域８０と仮想ピクセルＰ３との重なる面積は、１倍のサブピクセルの面積となり、即ち１倍の単位面積となる。同様に、図９に示すように、図９において、ピクセルアレイのうち第二のビューピクセルにおけるＲ７行目Ｓ４列目の青サブピクセルB２が決定されることを例にとって説明する。Ｒ７行目Ｓ４列目の青サブピクセルに対応するサンプリング領域９０も矩形である。それを決定する流れは、図８におけるＲ７行目Ｓ５列目の青サブピクセルに対応するサンプリング領域の決定する流れに参照すればよいため、ここで贅言しない。図９において、サンプリング領域９０の面積は、６倍の単位面積となり、サンプリング領域とＦ２との重なる面積は２倍の単位面積となり、サンプリング領域とＦ３との重なる面積は１倍の単位面積となる。
【００２８】
例えば、前記Ｎ値は３であり、前記サブピクセルの色は順次に青、緑、赤である。
具体的には、ディスプレイ装置における一つのピクセルは、三種類の異なる色のサブピクセルによって構成され、これらのサブピクセルは、列方向に青サブピクセル、緑サブピクセル、赤サブピクセルという順に配置される。もちろん、サブピクセルは、他の順で配置されてもよい。例えば、サブピクセルの色は、順次に赤、緑、青、または赤、青、緑、または青、赤、緑、または緑、赤、青、または緑、青、赤であってもよい。また、Ｎの値は、他の値であってもよい。例えば、Ｎの値は４であり、サブピクセルの色はそれぞれ赤、緑、青、白である。この色の並び順は、赤、緑、青、白の四色が任意の順で配置される組み合わせのいずれかであってもよい。
【００２９】
本発明の実施例は、図３に示す実施例の方法を実行する３Ｄディスプレイ装置を駆動するためのディスプレイ装置の駆動装置を提供する。前記３Ｄディスプレイ装置は、ピクセルアレイとラスタアレイとを含む。上記のように、以下は、一つのピクセルが三色のサブピクセルを含み、三色のサブピクセルがそれぞれ青サブピクセル、緑サブピクセルおよび赤サブピクセルである場合を例にとって説明する。図１に示すように、前記ピクセルアレイは、第一のビューピクセルと第二のビューピクセルとを有し、前記第一のビューピクセルおよび前記第二のビューピクセルは、それぞれ異なる色のＮ個のサブピクセルが順次に繰り返して一列に並べることによって形成さる。前記第一のビューピクセルと前記第二のビューピクセルとは、列方向に交互に配置され、前記ピクセルアレイの各行は、同じ色のサブピクセルを含む。図２に示すように、前記ラスタアレイは、列方向に沿って、第一のビューピクセルの第一の側と前記第二のビューピクセルの第二の側とを遮る。前記第一の側と第二の側は対向してビューピクセルに位置する。
【００３０】
具体的に、図１０に示すように、前記駆動装置１００は、
画像信号を受信し、前記画像信号における第一のビューと第二のビューを抽出する受信ユニット１１と、
前記第一のビューと前記第二のビューとをそれぞれ複数の仮想ピクセルに分割し、前記複数の仮想ピクセルのうち各サブピクセルの色に対応する色成分を取得する分割ユニット１２と、
各ビューの各サブピクセルに対し、前記ディスプレイ装置のピクセルアレイにサンプリング領域を設置する設置ユニット１３と、
前記サンプリング領域によってカバーされる各仮想ピクセルのうち各サブピクセルの色に対応する色成分に基づき、前記サンプリング領域に対応するサブピクセルの階調信号を決定する（ここで、前記サンプリング領域によってカバーされる仮想ピクセルと前記サンプリング領域に対応するサブピクセルとは、同じビューに属する）処理ユニット１４と、
サブピクセルの階調信号に基づき、前記画像信号を表示する表示ユニット１５を含む。
【００３１】
本発明における実施例によって提供されるディスプレイ装置の駆動装置では、まず、表示予定の信号は、受信ユニットによって受信され、表示予定の信号における第一のビューと第二のビューが抽出される。次に、前記第一のビューと前記第二のビューとは、分割ユニットによって複数の仮想ピクセルに分割され、前記複数の仮想ピクセルのうち各サブピクセルの色に対応する色成分が取得される。次に、各ビューの各サブピクセルに対し、サンプリング領域は、設置ユニットによってディスプレイ装置のピクセルアレイに設置され、前記サンプリング領域に対応するサブピクセルの階調信号は、サンプリング領域によってカバーされる各仮想ピクセルのうち各サブピクセルの色に対応する色成分に基づき、処理ユニットによって決定される。最后に、画像信号は、各サブピクセルの階調信号に基づき、表示ユニットによって表示される。各サブピクセルの階調信号は、サンプリング領域によってカバーされる各仮想ピクセルのうち各サブピクセルの色に対応する色成分によって決定されるため、本発明における実施例では、ピクセルアレイのうち一つのサブピクセルを利用し、複数のサブピクセルの分量階調信号を表示することができる。すなわち、ピクセルアレイにおけるサブピクセルは、共通に利用することができる。従って、視覚上に実際の解析度より高い解析度を実現することができる。これによって、本発明における実施例は、サブピクセルサイズが一定の場合に、３Ｄディスプレイ装置の表示効果を向上させることができる。
【００３２】
さらに、図１１に示すように、前記処理ユニット１４は、
前記サンプリング領域の面積を取得するとともに、前記サンプリング領域と前記各仮想ピクセルとの重なる面積を取得する取得サブユニット１４１と、
前記サンプリング領域の面積、前記重なる面積及び前記サンプリング領域によってカバーされる各仮想ピクセルのうち各サブピクセルの色に対応する色成分に基づき、前記サンプリング領域に対応するサブピクセルの階調信号を決定する決定サブユニット１４２とを含む。
【００３３】
さらに、前記サンプリング領域は、矩形である。
さらに、前記サンプリング領域の境界は、各サブピクセルの中心と各隣接する同じタイプのサブピクセルの中心との接続線の中間点に位置し、サブピクセルの同じタイプのサブピクセルとは、当該サブピクセルと同じビュー、同じ色に属するサブピクセルのことである。 
さらに、前記Ｎ値は３であり、前記サブピクセルの色は順次に青、緑、赤であることを特徴とする。
【００３４】
上記に記載されたものは本発明の具体的な実施例に過ぎず、本発明の請求範囲はそれに限られない。本発明に開示された範囲において、当業者が容易に考え出される変化や置換は本発明の技術的範囲に属するものである。よって、本発明の技術的範囲は特許請求の範囲によって決定される。
【００３５】
本出願は２０１５年３月１９日に出願した中国特許出願第２０１５１０１２２３７３．０号に基づく優先権を主張するものであり、上記の中国特許出願に開示されたすべての内容を本出願の一部として援用する。
【符号の説明】
【００３６】
１０  ピクセルアレイ
１１  受信ユニット
１２  分割ユニット
１３  設置ユニット
１４  処理ユニット
１５  表示ユニット
１４１  サブユニット
１４２  決定サブユニット
【図１】
0006636466.tif 000003
【図２】
0006636466.tif 000004
【図３】
0006636466.tif 000005
【図４】
0006636466.tif 000006
【図５】
0006636466.tif 000007
【図６】
0006636466.tif 000008
【図７】
0006636466.tif 000009
【図８】
0006636466.tif 000010
【図９】
0006636466.tif 000011
【図１０】
0006636466.tif 000012
【図１１】
0006636466.tif 000013